(57)【要約】【課題】地球の７割の面積を占める海を有効活用し、海上で緑化をおこなうための部材および緑化方法を提供することを課題とする。【解決手段】下面を水面に接触させ水面に浮かべることが可能であり、上面に植物を設置することが可能な緑化部材とした。さらには、下面側から順に、浮力のあるカバー層、海水を真水にする逆浸透膜層、前記真水を保持する保水層、植物を設置するカバー層を順に備えることを特徴とする緑化部材とした。また、緑化部材下面を水面に接触させ、水面に緑化部材を浮かべる工程と、該緑化部材の上面に植物を設置する工程とを備えることを特徴とする水面の緑化方法とした。【選択図】図１
2011155853.tif 000002
【特許請求の範囲】
【請求項１】
下面を水面に接触させ水面に浮かべることが可能であり、上面に植物を設置することが可能な緑化部材。
【請求項２】
前記緑化部材が海水を真水にすることが可能な逆浸透膜層を備えることを特徴とする請求項１記載の緑化部材。
【請求項３】
前記緑化部材が保水層を備えることを特徴とする請求項１または請求項２記載の緑化部材。
【請求項４】
前記緑化部材が浮力物を備えることを特徴とする請求項１乃至３のいずれかに記載の緑化部材。
【請求項５】
下面を水面に接触させて水面に浮かべ、さらに上面に植物を設置することが可能であり、
該下面側から、
浮力物、
海水を真水にする逆浸透膜層、
前記真水を保持する保水層、
植物を設置するカバー層
を順に備えることを特徴とする緑化部材。
【請求項６】
緑化部材下面を水面に接触させ、水面に緑化部材を浮かべる工程と、
該緑化部材の上面に植物を設置する工程と
を備えることを特徴とする水面の緑化方法。
【請求項７】
前記緑化部材が海水を真水にすることが可能な逆浸透膜層を備えることを特徴とする請求項６記載の緑化方法。
【請求項８】
前記緑化部材が、保水層を備えることを特徴とする請求項６または請求項７記載の緑化方法。
【請求項９】
前記緑化部材が、浮力物を備えることを特徴とする請求項６乃至８のいずれかに記載の緑化方法。
【発明の詳細な説明】
【技術分野】
【０００１】
本発明は、水面上に浮かべ植物を設置することが可能な緑化部材及び緑化方法に関するものであり、特に、地球上の７割の面積を占める海上を緑化するための緑化部材及び緑化方法に関するものである。
【背景技術】
【０００２】
現在、地球温暖化問題に対する内外各方面の関心が高まっている。中でも、地球上の砂漠は年々拡大しており、また、地球上の森林は年々減少しており、これらは深刻な問題となっている。そのような中で、植樹作業等の緑化作業は世界各地でおこなわれている。
【先行技術文献】
【特許文献】
【０００３】
【特許文献１】特開平３−１１９９２６号公報
【特許文献２】特開平１０−１１３６６０号公報
【発明の開示】
【発明が解決しようとする課題】
【０００４】
地球の面積は、その７割が海であり、残りの３割が陸地である。しかしながら、今までの緑化作業は土の上においておこなわれるものであり、海に対しておこなわれることはなかった。そこで。本願にあっては、地球の７割の面積を占める海を有効活用し、海上で緑化をおこなうための部材および緑化方法を提供することを課題とする。
【課題を解決するための手段】
【０００５】
上記課題を解決するために請求項１記載の発明は、下面を水面に接触させ水面に浮かべることが可能であり、上面に植物を設置することが可能な緑化部材とした。
【０００６】
また、請求項２に係る発明は、前記緑化部材が海水を真水にすることが可能な逆浸透膜層を備えることを特徴とする請求項１記載の緑化部材とした。
【０００７】
また、請求項３に係る発明は、前記緑化部材が保水層を備えることを特徴とする請求項１または請求項２記載の緑化部材とした。
【０００８】
また、請求項４に係る発明は、下面側から、浮力のあるカバー層、海水を真水にする逆浸透膜層、前記真水を保持する保水層、植物を設置するカバー層を順に備えることを特徴とする緑化部材とした。
【０００９】
また、請求項５に係る発明は、下面を水面に接触させて水面に浮かべ、さらに上面に植物を設置することが可能であり、該下面側から、浮力物、海水を真水にする逆浸透膜層、前記真水を保持する保水層、植物を設置するカバー層を順に備えることを特徴とする緑化部材とした。
【００１０】
また、請求項６に係る発明は、緑化部材下面を水面に接触させ、水面に緑化部材を浮かべる工程と、該緑化部材の上面に植物を設置する工程とを備えることを特徴とする水面の緑化方法とした。
【００１１】
また、請求項７に係る発明は、前記緑化部材が海水を真水にすることが可能な逆浸透膜層を備えることを特徴とする請求項６記載の緑化方法とした。
【００１２】
また、請求項８に係る発明は、前記緑化部材が保水層を備えることを特徴とする請求項７記載の緑化方法とした。
【００１３】
また、請求項９に係る発明は、前記緑化部材が、浮力物を備えることを特徴とする請求項６乃至８のいずれかに記載の緑化方法とした。
【発明の効果】
【００１４】
本発明の緑化部材を水面に浮かべ、植物を設置することにより、容易に水面を緑化することが可能となる。特に、地球の面積を７割を占める海面を緑化することが可能となる。
【図面の簡単な説明】
【００１５】
【図１】図１は本発明の緑化部材による緑化方法の説明図である。
【図２】図２は本発明の緑化部材の断面構成図の一例である。
【発明を実施するための最良の形態】
【００１６】
本発明の緑化部材による緑化方法の説明図を図１に示した。
【００１７】
本発明の緑化部材１は下面を水面３に接触させ水面３に浮かべられる。そして緑化部材にあっては、その上面に植物２が設置される。本発明の緑化部材１は水面３として海面や湖面、川（河）面等に浮かべることができる。中でも、海面に本発明の緑化部材を設けることにより、地球上の７割を占める海上に植物を植えることができ、海面を地球温暖化対策として有効利用することができる。
【００１８】
本発明の緑化部材においては、水面と接触させる側の面を下面とし、一方、植物を設置する側の面を緑化部材の上面としている。
【００１９】
また、本発明の緑化部材は上面に植物が設置される。上面に設置される植物としては、種子状であってもよく、また、苗状態であってもかまわない。表面に設置された植物は、緑化部材下面から水分を吸収し、成長することができる。
【００２０】
図２に本発明の緑化部材１の断面構成図の一例を示した。
【００２１】
本発明の緑化部材１にあっては、緑化部材は海水を真水にすることが可能な逆浸透膜層１２を備えることが好ましい。逆浸透膜層１２を備えることにより、海面に本発明の緑化部材を設けた際に、上面に設けられる植物に対して真水を供給することができる。
【００２２】
逆浸透膜とは、水を通しイオンや塩類など水以外の不純物は透過しない性質を持つ膜のである。逆浸透膜の孔の大きさはおおよそ２ｎｍであり、この逆浸透膜を用いることにより下面から浸入する海水を真水とすることができる。
【００２３】
逆浸透膜の材料としては、酢酸セルロース、架橋ポリアミド、芳香族ポリアミド、架橋全芳香族ポリアミド、ポリアミド酸、ポリイミド、ポリアミドヒドラジド、ポリイミダゾロン、ポリスルホンアミド、ポリベンズイミダゾール、ポリアリーレンオキシド、ポリビニルアルコール、ポリスルホン等を用いることができる。
【００２４】
また、本発明の緑化部材１にあっては、逆浸透膜の代わりにイオン交換樹脂を用いることもできる。また、逆浸透膜とイオン交換樹脂を併用することも可能である。
【００２５】
また、本発明の緑化シート１にあっては、保水層１３を設けることが好ましい。緑化部材１に保水層１３を設けることにより、逆浸透膜により生成した真水を保水することができ、上面に設置される植物の成長を促進させることができる。なお、保水層１３は、図２に示したとおり前記逆浸透膜層１２の上面側に設けられることが好ましい。
【００２６】
保水層１３として、具体的には、親水性を有する繊維を用いることができる。具体的には、親水性を有する繊維を含む布として、綿、麻等の天然繊維やレーヨン、ステープルファイバー等のセルロース系繊維や、ビニロン繊維、アクリル繊維、ポリエステル繊維等の親水性または吸水性を有する繊維を使用することができる。繊維によって保水層を形成するにあっては、繊維を含む溶液を塗布し形成することができる。また、公知の多孔質材料を用いることもできる。また、保水層としてポリビニルアルコールゲル、ポリアクリルアミドゲル等の親水性ゲルを用いることもできる。
【００２７】
また、本発明の緑化シート１にあっては、浮力物１１をそなえることが好ましい。
緑化シートに浮力物を浮かべることにより、緑化シートが水中（海中）に沈むことを防ぐことができる。ここで、浮力物としては、発泡スチロールといった発泡部材や、浮き輪等の内部に空気を含有する部材や、比重の軽い公知のプラスチック材料を用いることができる。浮力物は、例えば、図２のように逆浸透膜層の下面に設けることができる。また、浮力物は、緑化部材１の側面部に設けても構わない。
【００２８】
なお、本発明の緑化部材にあっては、浮力物を設けなくても緑化部材が水面（海面）で十分な浮力を得ることができる場合には、浮力物は設けなくてもよい。
【００２９】
また、本発明の緑化部材１の上面には、カバー層１４を設けても良い。カバー層１４により植物を設置する以外の部分にカバー層を設けても良い。
【００３０】
本発明の緑化部材に植えられる植物２としては、公知の植物を用いることができる。特に、本発明の緑化部材に植えられる植物としては、海水に強いマングローブやコケを好適に用いることができる。また植物として、食料となる農作物を設置しても良い。
【００３１】
本発明の緑化部材１は、図２に示したように、下面側から順に浮力物１１、海水を真水にする逆浸透膜層１２、前記真水を保持する保水層１３、植物を設置するカバー層１４を備えた構成とすることが好ましい。
【００３２】
本発明の緑化部材にあっては、シート状であっても、板状であってもかまわない。例えば、本発明にあっては、逆浸透膜層と保水シートを積層した積層シートからなる緑化部材とすることができる。また、保水ブロックの一方の面に逆浸透膜層を貼り合わせた板状の緑化部材とすることができる。また、緑化シートの側面には枠体を設けることもできる。
【００３３】
また、本発明の緑化部材にあっては他の構成を含んでいても構わない。例えば、緑化部材側面からの水の浸入や、雨水の浸入によって緑化部材が水中に沈むことを防止する排水口を設置することができる。また、植物を保水層に直接植えるのではなく、別途、新たな植物設置層を設け、該植物設置層上に植物を設置しても構わない。また、植物全体を覆うようなカバーを設けても良い。
【００３４】
次に、本発明の緑化方法について説明する。
【００３５】
本発明の緑化方法にあっては、緑化部材下面を水面に接触させ、水面に緑化部材を浮かべる工程と、緑化部材の上面に植物を設置する工程とを備えることを特徴とする。このとき、緑化部材を水面に浮かべた後に緑化部材の上面に植物を設置しても構わないし、緑化部材の上面にあらかじめ植物を設置した後に緑化部材を水面に浮かべても構わない。本発明の緑化方法にあっては、植物を育てるための水分を海水から補給するため、手間なく水面に植物を設置することが可能である。
【実施例】
【００３６】
２０ｃｍ角に切り出した酢酸セルロースからなる逆浸透膜の一方の面にポリビニルアルコール溶液を塗布し、逆浸透膜上にポリビニルアルコールゲルからなる保水層を形成した。さらに、逆浸透膜の周縁部に発泡スチロールからなる浮力物を取り付け、逆浸透膜、保水層、浮力物を備える緑化部材を作成した。
次に、得られた緑化部材の保水層面にカイワレ大根の種を蒔いた。種を蒔いた緑化部材を塩分濃度３．５％の水を入れた水槽に浮かべた。
３日後、緑化部材の保水層上にカイワレ大根の種子が発芽している様子が確認された。
以上より、本発明の緑化部材が海面の緑化に有効であることが確認された。
【産業上の利用可能性】
【００３７】
本発明の、緑化部材・緑化方法にあっては、地球の７割の面積を占める海を有効活用し、海上を緑化し、「緑の道」を創出しようとするものである。本発明の緑化部材・緑化方法は地球温暖化防止の一助となるものである。また、本発明の緑化部材に食料となる農作物を植えることにより、食料不足の解消の一助となるものと考える。
【符号の説明】
【００３８】
１      緑化部材
２      植物
３      水面（海面）
３´    水中（海中）
１１    浮力物
１２    逆浸透膜
１３    保水層
１４    カバー
【図１】
2011155853.tif 000003
【図２】
2011155853.tif 000004